(57)【要約】【課題】新規な往復動機構を備えた遊技機の提供を目的とする。【解決手段】本発明のパチンコ遊技機１０は、モータ７８から動力を受けて上端位置と下端位置との間で往復動すると共に、上端位置から下端位置へと向かう途中のスタンバイ位置で、演出位置に位置する主動演出部材６１に当接し、下端位置までの移動に伴って主動演出部材６１を待機位置へと移動させる往復動部材７５と、スタンバイ位置から上端位置に向かって移動したときの往復動部材７５から押圧され、その押圧力をロックレバー８０によるロックを解除するロック解除力としてロックレバー８０に伝達する板金スライド部材８５とを備えている。主動演出部材６１は定荷重バネ７２によって演出位置に付勢されており、遊技状態に応じてロックを解除して、主動演出部材６１を定荷重バネ７２の弾発力によって演出位置に移動させる。【選択図】図５
2014233502.tif 000002
【特許請求の範囲】
【請求項１】
演出位置と待機位置との間で往復動する可動演出部材と、
前記可動演出部材を前記演出位置に付勢する弾性部材と、
前記演出位置から前記待機位置に移動したときの前記可動演出部材に係合して前記待機位置にロックするロック部材とを備え、
遊技状態に応じて前記ロック部材による前記ロックを解除し、前記可動演出部材を前記弾性部材の弾発力により前記演出位置へと移動させる演出を行う遊技機において、
動力源から動力を受けて第１位置と第２位置との間で往復動すると共に、前記第１位置から前記第２位置へと向かう途中の第３位置で、前記演出位置に位置する前記可動演出部材に当接し、前記第３位置から前記第２位置までの移動に伴って前記可動演出部材を前記待機位置へと移動させる往復動部材と、
前記第３位置から前記第１位置に向かって移動したときの前記往復動部材から押圧され、その押圧力を前記ロック部材による前記ロックを解除するロック解除力として前記ロック部材に伝達するロック解除力伝達部材とを備えたことを特徴とする遊技機。
【請求項２】
前記可動演出部材を直動可能に支持した固定ベースと、
前記可動演出部材と前記固定ベースの一方に回動可能に連結されると共に、他方にスライド係合した従動演出部材とを備え、
前記可動演出部材の直動に従動して、前記従動演出部材が回動するように構成されたことを特徴とする請求項１に記載の遊技機。
【請求項３】
前記従動演出部材を複数備え、
前記可動演出部材が前記待機位置から前記演出位置に移動することで、前記複数の従動演出部材によって文字又は図形又はその他の造形物が完成するように構成したことを特徴とする請求項２に記載の遊技機。
【請求項４】
前記弾性部材は、帯状バネ材を渦巻き状に巻回した定荷重バネであり、
前記可動演出部材とその可動演出部材を往復動可能に支持した固定ベースとの何れか一方に前記定荷重バネの一端が連結されると共に、他方に回転可能に支持された巻取ドラムに前記定荷重バネの他端が固定されたことを特徴とする請求項１乃至３の何れか１の請求項に記載の遊技機。
【請求項５】
前記可動演出部材は、前記待機位置と前記演出位置との間で直動し、
前記可動演出部材の直動方向と直交する方向で対をなした１対の前記定荷重バネを、前記直動方向に複数対並べて配置したことを特徴とする請求項４に記載の遊技機。
【請求項６】
前記可動演出部材は、前記待機位置と前記演出位置との間で直動し、
前記動力源としてのモータによって回転駆動されかつ前記可動演出部材の直動方向に延びたボール螺子を備え、
前記往復動部材は前記ボール螺子に螺合していることを特徴とする請求項１乃至５の何れか１の請求項に記載の遊技機。
【請求項７】
前記可動演出部材を往復動可能に支持した固定ベースに設けられて、前記演出位置に向かって移動した前記演出可動部材を受け止めるダンパーを備えたことを特徴とする請求項１乃至６の何れか１の請求項に記載の遊技機。
【発明の詳細な説明】
【技術分野】
【０００１】
本発明は、遊技機に関する。
【背景技術】
【０００２】
従来より、遊技の状態に応じて遊技盤面上を演出位置と待機位置との間で回動する可動演出部材を備えた遊技機が知られている。この遊技機は、可動演出部材が弾性部材によって待機位置に付勢されており、待機位置から演出位置へと回動する過程で弾性部材が弾性変形し、その弾発力によって可動演出部材が演出位置から待機位置へと回動するように構成されていた（例えば、特許文献１参照）。
【先行技術文献】
【特許文献】
【０００３】
【特許文献１】特開２００８−４３４５９号公報（段落［００１５］、第１図）
【発明の概要】
【発明が解決しようとする課題】
【０００４】
ところで、上述した従来の遊技機のように、可動演出部材によって演出動作を行う遊技機は、さらなる趣向性の向上を目的として日々改良が進められており、これに伴い、新規な往復動機構の開発が求められていた。
【０００５】
本発明は、上記事情に鑑みてなされたものであって、新規な往復動機構を備えた遊技機の提供を目的とする。
【課題を解決するための手段】
【０００６】
上記目的を達成するためになされた請求項１の発明に係る遊技機は、演出位置と待機位置との間で往復動する可動演出部材と、可動演出部材を演出位置に付勢する弾性部材と、演出位置から待機位置に移動したときの可動演出部材に係合して待機位置にロックするロック部材とを備え、遊技状態に応じてロック部材によるロックを解除し、可動演出部材を弾性部材の弾発力により演出位置へと移動させる演出を行う遊技機において、動力源から動力を受けて第１位置と第２位置との間で往復動すると共に、第１位置から第２位置へと向かう途中の第３位置で、演出位置に位置する可動演出部材に当接し、第３位置から第２位置までの移動に伴って可動演出部材を待機位置へと移動させる往復動部材と、第３位置から第１位置に向かって移動したときの往復動部材から押圧され、その押圧力をロック部材によるロックを解除するロック解除力としてロック部材に伝達するロック解除力伝達部材とを備えたところに特徴を有する。
【０００７】
請求項２の発明は、請求項１に記載の遊技機において、可動演出部材を直動可能に支持した固定ベースと、可動演出部材と固定ベースの一方に回動可能に連結されると共に、他方にスライド係合した従動演出部材とを備え、可動演出部材の直動に従動して、従動演出部材が回動するように構成されたところに特徴を有する。
【０００８】
請求項３の発明は、請求項２に記載の遊技機において、従動演出部材を複数備え、可動演出部材が待機位置から演出位置に移動することで、複数の従動演出部材によって文字又は図形又はその他の造形物が完成するように構成したところに特徴を有する。
【０００９】
請求項４の発明は、請求項１乃至３の何れか１の請求項に記載の遊技機において、弾性部材は、帯状バネ材を渦巻き状に巻回した定荷重バネであり、可動演出部材とその可動演出部材を往復動可能に支持した固定ベースとの何れか一方に定荷重バネの一端が連結されると共に、他方に回転可能に支持された巻取ドラムに定荷重バネの他端が固定されたところに特徴を有する。
【００１０】
請求項５の発明は、請求項４に記載の遊技機において、可動演出部材は、待機位置と演出位置との間で直動し、可動演出部材の直動方向と直交する方向で対をなした１対の定荷重バネを、直動方向に複数対並べて配置したところに特徴を有する。
【００１１】
請求項６の発明は、請求項１乃至５の何れか１の請求項に記載の遊技機において、可動演出部材は、待機位置と演出位置との間で直動し、動力源としてのモータによって回転駆動されかつ可動演出部材の直動方向に延びたボール螺子を備え、往復動部材はボール螺子に螺合しているところに特徴を有する。
【００１２】
請求項７の発明は、請求項１乃至６の何れか１の請求項に記載の遊技機において、可動演出部材を往復動可能に支持した固定ベースに設けられて、演出位置に向かって移動した演出可動部材を受け止めるダンパーを備えたところに特徴を有する。
【発明の効果】
【００１３】
［請求項１及び６の発明］
請求項１の発明によれば、可動演出部材が演出位置に位置する状態で、動力源から動力を受けた往復動部材が第３位置から第２位置へと移動すると、その往復動部材に押圧されて可動演出部材が演出位置から待機位置へと移動して、ロック部材により待機位置にロックされると共に、弾性部材が弾性変形する。そして、可動演出部材が待機位置にロックされた状態で、往復動部材が第３位置から第１位置へと移動すると、その往復動部材に押圧されたロック解除力伝達部材がロック部材に力を伝達して、ロック部材による可動演出部材のロックが解除され、弾性部材の弾発力によって可動演出部材が待機位置から演出位置へと移動する。このような往復動機構は、従来の遊技機には無かったので、可動演出部材によって演出動作を行う遊技機の改良に貢献することができ、趣向性の向上を図ることができる。ここで、可動演出部材の往復動は、弧を描きながら移動する回動でもよいし、真っ直ぐな直線移動（直動）でもよい。
【００１４】
また、可動演出部材を待機位置と演出位置との間で直動させる場合に、ラックアンドピニオン機構のラックに往復動部材を設けて往復動させる構成としてもよいし、請求項６の発明のように、往復動部材をボール螺子に螺合して往復動させる構成としてもよい。
【００１５】
［請求項２の発明］
請求項２の発明によれば、可動演出部材の直動に伴って、従動演出部材が回動するので、それら可動演出部材と従動演出部材の複合的な動きによって、演出動作の趣向性を向上させることができる。
【００１６】
［請求項３の発明］
請求項３の発明によれば、可動演出部材が待機位置から演出位置に至ると、複数の従動演出部材によって文字又は図形又はその他の造形物が完成するから、より趣向性の高い演出を行うことができる。
【００１７】
［請求項４及び５の発明］
請求項４の発明によれば、弾性部材として定荷重バネを採用したから、可動演出部材の往復動距離が変更されても、可動演出部材を同じ力で移動させることができる。ここで、定荷重バネは１つでもよいし、請求項５の発明のように複数でもよい。請求項５の発明によれば、可動演出部材を演出位置に向けてより俊敏に移動させることができる。また、複数の定荷重バネをコンパクトに集約して配置することができ、配置スペースの省スペース化を図ることができる。
【００１８】
［請求項７の発明］
請求項７の発明によれば、ダンパーを備えたことで、弾性部材の弾発力で可動演出部材が演出位置に到達したときの衝撃を緩和することができる。
【図面の簡単な説明】
【００１９】
【図１】本発明の一実施形態に係るパチンコ遊技機の正面図
【図２】遊技盤の正面図
【図３】裏セット盤の正面図
【図４】可動役物が演出位置に位置する状態の可動演出装置の斜視図
【図５】可動演出装置の斜視図
【図６】可動演出装置の正面図
【図７】可動演出装置の背面図
【図８】可動役物が待機位置に位置する状態の可動演出装置の斜視図
【図９】可動演出装置の斜視図
【図１０】可動演出装置の正面図
【図１１】可動演出装置の背面図
【図１２】往復動部材、ボール螺子及びスライドシャフトの斜視図
【図１３】ロックレバーと板金スライド部材との連係部分を拡大した斜視図
【発明を実施するための形態】
【００２０】
以下、本発明を適用したパチンコ遊技機１０に係る一実施形態を、図１〜図１３に基づいて説明する。なお、以下の説明において「左右」とは、パチンコ遊技機１０を正面から見たときの左右である。
【００２１】
図１に示すように、パチンコ遊技機１０は、遊技球が流下可能な略円形の遊技領域Ｒ１を備え、その遊技領域Ｒ１をパチンコ遊技機１０の前面から視認可能となっている。遊技領域Ｒ１には、遊技状態に応じて様々な表示演出を行う表示装置３０が配置されており、表示装置３０の周囲には、入賞ゲート１６、風車１７及び複数の入賞部１８，２２，２３，２４，４０が配置されている。
【００２２】
遊技領域Ｒ１の下方には、遊技球を貯留可能な上皿１２及び下皿１３が上下二段にして設けられている。下皿１３の右側方には、発射操作ノブ１４が備えられ、この発射操作ノブ１４を回動操作することで、図示しない発射装置から遊技領域Ｒ１に向かって遊技球が発射される。遊技領域Ｒ１を流下する遊技球が、遊技領域Ｒ１に配置された各種入賞部１８，２２，２３，４０に入球すると、賞球として所定数の遊技球が上皿１２に払い出される。また、入賞部１８，２３への入賞時には抽選が行われ、その抽選結果が表示装置３０に表示される。
【００２３】
図２には、遊技領域Ｒ１を前面に備えた遊技盤１１が示されている。遊技盤１１のうち遊技領域Ｒ１の中央には、図示しない表示窓が貫通形成されている。また、遊技盤１１の裏面には、図３に示した裏セット盤５０が取り付けられ、その裏セット盤５０の内側に固定配置された表示装置３０が、表示窓を通して前方から視認可能となっている。
【００２４】
裏セット盤５０は、図３に示すように、遊技盤１１の裏面と対向した主板壁５１と、その外縁部から前方に起立した囲壁５２とを有し、前後方向で扁平な容器構造をなしている。囲壁５２の前端縁を遊技盤１１の裏面に突き当てた状態で遊技盤１１と裏セット盤５０とが固定されている。
【００２５】
図２に示すように、遊技盤１１の表示窓には、表示装飾枠３１が嵌め込まれている。表示装飾枠３１は、遊技の演出内容に対応したデザイン形状をなしかつ、遊技盤１１の前面から突出して設けられている。
【００２６】
表示装飾枠３１の右側方には入賞ゲート１６が設けられている。入賞ゲート１６は上下方向に貫通した門形構造をなし、遊技球が１つずつ通過可能となっている。
【００２７】
入賞ゲート１６の下方には、Ｖ入賞部２４が設けられている。Ｖ入賞部２４は、常には遊技球が進入不可能となっており、所定の条件が成立した場合（例えば、後述する第１始動入賞部１８及び第２始動入賞部２３への入賞時に行われた抽選で当選した場合）にのみ、遊技球が進入可能となっている。
【００２８】
表示装飾枠３１の下方には、第１始動入賞部１８が配置されている。第１始動入賞部１８は上面が開放したポケット構造をなしている。
【００２９】
第１始動入賞部１８の下方には、左右方向で対をなした１対の第２始動入賞部２３，２３が設けられている。これら第２始動入賞部２３，２３も、第１始動入賞部１８と同様に、上面が開放したポケット構造をなしている。
【００３０】
第１始動入賞部１８及び第２始動入賞部２３は、常には、遊技球が進入不可能になっており、所定の条件が成立した場合（例えば、入賞ゲート１６への入賞時に行われた抽選で当選した場合）にのみ遊技球が進入可能となっている。
【００３１】
第２始動入賞部２３，２３の下方には、大入賞部４０が設けられている。大入賞部４０は、遊技盤１１の前面に開放した横長の大入賞口４１を備え、その大入賞口４１が横長の大入賞扉４２によって開閉可能となっている。大入賞扉４２は、大入賞口４１の下端部を中心にして回動可能となっており、常には、起立姿勢に保持されて、大入賞口４１を閉鎖している。また、大入賞扉４２は、所定の条件が成立した場合（例えば、第１始動入賞部１８又は第２始動入賞部２３への入賞時に行われた抽選で当選した場合）に、前側に倒されて大入賞口４１を開放する。このとき、大入賞扉４２が遊技領域Ｒ１を流下する遊技球を受け止めて大入賞口４１へと誘導する。
【００３２】
図２に示すように、大入賞部４０の右側には、普通入賞部２２が１つ設けられている。また、大入賞部４０の左側には、複数（３つ）の普通入賞部２２が並んで配置されている。これら普通入賞部２２は、第１始動入賞部１８と同様に上面が開放したポケット構造をなしている。
【００３３】
大入賞部４０の下方にはアウト口１９が設けられている。上述した何れの入賞部１８，２２，２３，２４，４０にも入らなかった遊技球は、アウト口１９によって遊技盤１１の裏側に回収される。
【００３４】
ところで、図３に示すように、裏セット盤５０の内側には、表示装置３０や装飾部材と共に、図４に示す可動演出装置５５が組み付けられている。可動演出装置５５は、主板壁５１の前面に重ねて固定されたベースプレート５６（本発明の「固定ベース」に相当する）に、以下に説明する可動役物６０等を組み付けてなる。図７に示すように、ベースプレート５６は全体としてＬ字形をなしており、表示装置３０の下辺と一側辺（右側辺）とに沿って延びている。
【００３５】
可動役物６０は、図２〜図７に示すように、表示装飾枠３１の内側を通して視認可能な演出位置と、図８〜図１１に示すように、遊技盤１１の裏側に隠れて見えなくなった待機位置との間で変位する。通常、可動役物６０は待機位置に位置しており、遊技状態に応じた所定のタイミングで演出位置に移動する。
【００３６】
可動役物６０は、主動演出部材６１（本発明の「可動演出部材」に相当する）と１対の従動演出部材６７，６８とから構成されている。主動演出部材６１及び１対の従動演出部材６７，６８は、それぞれベースプレート５６に対してスライド可能に係合しておりかつ、１対の従動演出部材６７，６８は、主動演出部材６１に対して回動可能に連結している。
【００３７】
図５に示すように、主動演出部材６１は左右方向に延びた横長装飾体６２と、その横長装飾体６２の右端部から下方に延びた縦長の直動スライダ６３とを一体に備えてなり、全体としてＬ字形をなしている。また、主動演出部材６１は、後述する往復動機構によって上下方向に直動可能となっている。
【００３８】
これに対し、１対の従動演出部材６７，６８は、主動演出部材６１がその直動範囲の上端位置に位置するときに表示装置３０の前面に重ねて配置され、例えば、アルファベットの「Ｖ」の字を完成させる。１対の従動演出部材６７，６８は、「Ｖ」の字の左側斜辺を構成する第１の従動演出部材６７と、「Ｖ」の字の右側斜辺を構成する第２の従動演出部材６８とで構成されており、第１の従動演出部材６７より前側に、第２の従動演出部材６８が配置されている。また、１対の従動演出部材６７，６８は、主動演出部材６１よりも前側に配置されており、主動演出部材６１（横長装飾体６２）の長手方向の２箇所に設けられた回転軸６２Ｊ，６２Ｊ（図７参照）に各従動演出部材６７，６８の上端部がそれぞれ連結されている。
【００３９】
一方、１対の従動演出部材６７，６８の下端部からは、ベースプレート５６に向かってスライド突部６７Ｔ，６８Ｔが突出している（図７参照）。これらスライド突部６７Ｔ，６８Ｔは、ベースプレート５６に貫通形成された１対のスライド長孔５６Ａ，５６Ａにそれぞれスライド係合している。１対のスライド長孔５６Ａ，５６Ａは左右対称となっており、左右両側部から中央部に向かうに従って円弧状に湾曲しながら上昇するように延びている。そして、「Ｖ」の字の左側斜辺を構成する第１の従動演出部材６７のスライド突部６７Ｔが右側のスライド長孔５６Ａにスライド係合し、「Ｖ」の字の右側斜辺を構成する第２の従動演出部材６８のスライド突部６８Ｔが左側のスライド長孔５６Ａにスライド係合している。
【００４０】
図１１から図７への変化に示すように、主動演出部材６１が直動範囲の下端位置から上端位置に向かって上昇する過程で、１対の従動演出部材６７，６８に備えたスライド突部６７Ｔ，６８Ｔが、それぞれスライド長孔５６Ａ，５６Ａの下端部から上端部に向かってスライドすると共に、１対の従動演出部材６７，６８が回転軸６２Ｊ，６２Ｊを中心にして、主動演出部材６１に対して互いに逆向きに回動する。そして、主動演出部材６１が上端位置に位置するとき、１対の従動演出部材６７，６８の下端部同士が重なり合って、表示装置３０の前側に、表示装飾枠３１の内側全体に及ぶ比較的大きなアルファベットの「Ｖ」の字が完成する（図６参照）。
【００４１】
また、図７から図１１への変化に示すように、主動演出部材６１が上端位置から下端位置に向かって降下する過程で、１対の従動演出部材６７，６８に備えたスライド突部６７Ｔ，６８Ｔが、それぞれスライド長孔５６Ａ，５６Ａの上端部から下端部に向かってスライドすると共に、１対の従動演出部材６７，６８が回転軸６２Ｊ，６２Ｊを中心にして、主動演出部材６１に対して互い逆向きに回動する。そして、主動演出部材６１が下端位置に位置するとき、１対の従動演出部材６７，６８が長手方向の中間部で重なり合った状態、具体的には、上下方向に潰れた「Ｘ」のように立体交差して、表示装置３０の下方の格納スペースに格納される（図１０参照）。ここで、主動演出部材６１が上端位置から下端位置に移動することで、「Ｖ」の字を構成していた１対の従動演出部材６７，６８が小さく畳まれるので、格納スペースを小さく抑えることができる。
【００４２】
以下、主動演出部材６１については、その直動範囲における上端位置（図４〜図７に示す位置）を「演出位置」といい、直動範囲の下端位置（図８〜図１１に示す位置）を「待機位置」という。
【００４３】
往復動機構は、直動ガイドレール７１、ボール螺子機構、モータ７８等の複数の部品から構成されている。直動ガイドレール７１は、表示装置３０の右側方で上下方向に延びている（図５参照）。直動ガイドレール７１には、主動演出部材６１の直動スライダ６３がスライド係合している。主動演出部材６１のうち直動スライダ６３とは反対側の左端部は自由端となっており、主動演出部材６１は片持ち状態で直動ガイドレール７１に支持されている。なお、主動演出部材６１の左端部は、裏セット盤５０の主板壁５１とその前面に隙間を空けて取り付けられた部品Ｂ１（図６参照）との間に挟まれて前後方向への移動が規制されている。
【００４４】
主動演出部材６１は、弾性部材によって演出位置に付勢されている。本実施形態における弾性部材は、帯状バネ材を渦巻き状に巻回した定荷重バネ７２（具体的には、例えば、「コンストン（登録商標）」）であり、その定荷重バネ７２の一端部が主動演出部材６１に固定されている。
【００４５】
詳細には、主動演出部材６１における直動スライダ６３の上端部には、バネ連結部６４が固定されている。一方、ベースプレート５６のうち、直動ガイドレール７１の上方には、巻取ドラム７３が回転可能に支持されている。図４に示すように、巻取ドラム７３は、パチンコ遊技機１０の左右方向を向いた回転軸を中心にして回転可能となっており、定荷重バネ７２の両端部がバネ連結部６４と巻取ドラム７３とに固定されている。
【００４６】
また、本実施形態では、同一構造をなした複数の定荷重バネ７２を備えており、それら複数の定荷重バネ７２が、共通のバネ連結部６４に連結されている。これら複数の定荷重バネ７２は、パチンコ遊技機１０の前後方向で対をなした１対の定荷重バネ７２を、上下方向に複数対（具体的部は、２対）並べて配置されている。パチンコ遊技機１０の前後方向で対をなした定荷重バネ７２は、巻回方向が互いに逆向きになっており、上下方向で並んだ定荷重バネ７２は巻回方向が同じとなっている。
【００４７】
ここで、図４及び図５に示すように、ベースプレート５６には、バネ連結部６４に上方から対向したストッパ５７が設けられており、そのストッパ５７にバネ連結部６４が当接することで、主動演出部材６１が演出位置に位置決めされる。
【００４８】
主動演出部材６１における直動スライダ６３の下端部には、板金を前側に直角曲げしてなる係合フック６５が設けられており、その係合フック６５に対して、ロックレバー８０（本発明の「ロック部材」に相当する）が係合可能となっている。また、係合フック６５の下面には、主動演出部材６１が待機位置に向かって降下したときに、ロックレバー８０と摺接するカム部材６６が固定されている。
【００４９】
ロックレバー８０は、直動ガイドレール７１の下方に配設されている。図８及び図１３に示すように、ロックレバー８０は、パチンコ遊技機１０の左右方向を向いた回転軸８０Ｊから上方に延びた係合アーム８１と、回転軸８０Ｊから後方に突出した連係アーム８２（図５参照）とを備えたシーソー構造をなしている。ロックレバー８０は、回転軸８０Ｊを中心にして、図８及び図１３に示すように、係合アーム８１がほぼ垂直に起立したロック位置と、係合アーム８１が斜め前方に倒れたロック解除位置（図４参照）との間を回動可能となっている。係合アーム８１の先端には矢尻形の係合突部８１Ａが設けられており、ロック位置では、その係合突部８１Ａと係合フック６５とが上下方向で係合可能となっている。そして、これらが係合することで、主動演出部材６１は、定荷重バネ７２の弾発力に抗して待機位置にロックされる。なお、ロックレバー８０は、ロック付勢バネ８９によってロック位置に付勢されている。
【００５０】
直動ガイドレール７１の側方には、ボール螺子７６とスライドシャフト７４と往復動部材７５とからなるボール螺子機構が設けられている（図１２参照）。ボール螺子７６及びスライドシャフト７４は、直動ガイドレール７１と平行に上下方向に延びている。また、ボール螺子７６とスライドシャフト７４は、パチンコ遊技機１０の前後方向に間隔を空けて配置されている。往復動部材７５は、ボール螺子７６に対して螺合しかつ、スライドシャフト７４に対してスライド可能に係合している。
【００５１】
ボール螺子７６の上端部には、歯車減速機７７を介してモータ７８（具体的には、ステッピングモータ）の出力軸が連結されている（図５参照）。つまり、モータ７８を動力源として往復動部材７５が上下に往復動するように構成されている。
【００５２】
図５に示すように、主動演出部材６１は往復動部材７５の移動領域と交差している。具体的には、パチンコ遊技機１０の前後方向に間隔を空けて配置されたボール螺子７６とスライドシャフト７４との間に、主動演出部材６１の横長装飾体６２が通されている。ボール螺子７６とスライドシャフト７４を跨いだ往復動部材７５は、横長装飾体６２より上方に位置しており、往復動部材７５と横長装飾体６２とが上下方向で当接可能となっている。
【００５３】
ベースプレート５６の側部前面には、往復動機構（直動ガイドレール７１、ボール螺子７６等）を覆った縦長の機構カバー７９が取り付けられている。機構カバー７９の右側面は閉塞されており、機構カバー７９の左側面は開放している。
【００５４】
機構カバー７９の外面には、板金スライド部材８５（本発明の「ロック解除力伝達部材」に相当する）が直動可能に支持されている。板金スライド部材８５は、ボール螺子７６やスライドシャフト７４等と平行に上下方向に延びている。板金スライド部材８５は、上下方向の中間部から上方に向かって延びた上側帯板部８５Ａと、上下方向の中間部から下方に向かって延びかつ上側帯板部８５Ａと直角に交差した下側帯板部８５Ｂと、下側帯板部８５Ｂの下端部から下方に延設された下端連係部８５Ｃとを備えている。上側帯板部８５Ａは機構カバー７９の前面に重ねられており、下側帯板部８５Ｂは機構カバー７９の左側面に重ねられている。
【００５５】
上側帯板部８５Ａと下端連係部８５Ｃとには、それぞれ上下方向に延びた長孔８６が貫通形成されており、それら長孔８６を貫通したガイドピン８６Ｐが機構カバー７９に固定されている。板金スライド部材８５は、これら長孔８６の範囲内で上下方向に直動可能となっている。
【００５６】
板金スライド部材８５の上端部には、板金を後方（ボール螺子７６側）に直角曲げしてなる受圧片８７が形成されている（図５及び図９参照）。受圧片８７は、往復動部材７５に上方から対向しており、それら往復動部材７５と受圧片８７とが上下方向で当接可能となっている。
【００５７】
図１３に示すように、板金スライド部材８５の下端連係部８５Ｃは、ロックレバー８０の側方に隣接配置されており、パチンコ遊技機１０の左右方向でロックレバー８０の連係アーム８２（図５参照）と対向した連係壁８８を有している。連係アーム８２からは、連係壁８８に向かって連係ボス８３が突出しており、連係壁８８には、連係ボス８３を受容した連係切欠部８８Ａが形成されている。これら連係ボス８３と連係切欠部８８Ａとの係合によって、ロックレバー８０と板金スライド部材８５とが連動可能に連結されている。
【００５８】
即ち、板金スライド部材８５が、図８から図４への変化に示すように、下端位置から上端位置に向かって移動した場合に、ロックレバー８０は、ロック位置からロック解除位置へと移動し、図４から図８への変化に示すように、板金スライド部材８５が上端位置から下端位置に向かって移動した場合に、ロックレバー８０は、ロック解除位置からロック位置へと移動する。なお、図１３に示すように、連係ボス８３と連係切欠部８８Ａとの間には、上下方向において「遊び（隙間）」が設けられている。即ち、板金スライド部材８５の直動範囲とロックレバー８０の回動範囲には、それらの一方を移動（直動又は回動）させた力を他方に伝達せずに、一方のみが動くことが可能な「遊び可動域」が設けられている。
【００５９】
板金スライド部材８５はロック付勢バネ８９によって下端位置に付勢されている。図１３に示すように、ロック付勢バネ８９は、引っ張りコイルバネであり、一端が下端連係部８５Ｃに連結され、他端部がベースプレート５６に固定されている。ロック付勢バネ８９によって板金スライド部材８５が下端位置に付勢されたことで、板金スライド部材８５に連係したロックレバー８０がロック位置に付勢されている。
【００６０】
図１０に示すように、可動演出装置５５にはダンパー５８が備えられている。ダンパー５８は、シリンダからピストンロッドが突出した公知な構造であり、図１０から図６への変化に示すように、待機位置から演出位置に向かって上昇した主動演出部材６１が演出位置に達する直前の位置で、横長装飾体６２の上面に突き当たり、そこから待機位置への移動に伴って、ピストンロッドが押し込まれるように構成されている。
【００６１】
本実施形態のパチンコ遊技機１０の構成は以上であって、次に本実施形態の動作を説明する。通常、遊技者は、遊技領域Ｒ１を流下する遊技球と、表示装置３０で行われる表示演出とを見ながら遊技を行う。
【００６２】
遊技者に対して何ら特典が付与されていない通常の遊技状態のとき、可動役物６０は待機位置に位置している。待機位置のとき、主動演出部材６１の係合フック６５にロックレバー８０が係合しており、ロックレバー８０は、定荷重バネ７２の弾発力に抗して主動演出部材６１を待機位置にロックしている（図８〜図１１に示す状態）。また、ロックレバー８０と連係した板金スライド部材８５も下端位置にロックされ、往復動部材７５も直動範囲の下端位置（本発明の「第２位置」に相当する）で停止している。
【００６３】
特典が付与されて通常よりも有利な遊技状態（例えば、大入賞口４１が開放した大当たり遊技状態）になると、スタンバイ動作が行われ、主動演出部材６１を待機位置に残したまま、往復動部材７５が上昇する。即ち、モータ７８によってボール螺子７６が回転駆動され、往復動部材７５が、上端位置（本発明の「第１位置」に相当する）へと向かう途中のスタンバイ位置（本発明の「第３位置」に相当する）で停止する。このとき、板金スライド部材８５の受圧片８７が往復動部材７５と当接し、板金スライド部材８５が「遊び可動域」の範囲で、下端位置から僅かに上昇する。このとき、板金スライド部材８５を押し上げた往復動部材７５の力が、ロックレバー８０に伝達されることはなく、ロックレバー８０による主動演出部材６１のロックは維持される。即ち、可動役物６０は依然として待機位置のままである。
【００６４】
有利な遊技状態が終了して再び、通常の遊技状態に戻ると、スタンバイ解除動作が行われる。即ち、往復動部材７５がスタンバイ位置から降下し、下端位置で停止する。また、板金スライド部材８５は、ロック付勢バネ８９の付勢力によって下端位置に戻る。
【００６５】
これに対し、有利な遊技状態でさらに別の特典が付与されると（例えば、Ｖ入賞部２４への入賞によって所謂「確変」、「時短」が発生或いは継続した場合）、役物演出動作が行われ、往復動部材７５がスタンバイ位置から予め定められた距離だけ上昇して上端位置になる。この往復動部材７５の上昇に伴って、板金スライド部材８５がさらに押し上げられると共に、板金スライド部材８５に連係したロックレバー８０が、ロック位置からロック解除位置に向かって回動する。即ち、板金スライド部材８５は、スタンバイ位置から上端位置に向かって上昇した往復動部材７５から押圧力を受け、その押圧力を、ロックレバー８０によるロックを解除するロック解除力としてロックレバー８０に伝達する。
【００６６】
往復動部材７５がスタンバイ位置から上端位置に移動する過程で、ロックレバー８０によるロックが解除され、例えば、図９から図５への変化に示すように、可動役物６０が待機位置から演出位置へと移動する。即ち、主動演出部材６１が、複数の定荷重バネ７２の弾発力によって表示装置３０より下方の待機位置から、表示装置３０の前面に重なった演出位置まで一気に上昇する。また、主動演出部材６１に連結された１対の従動演出部材６７，６８が表示装置３０の下方から出現して、表示装置３０の前側で、表示装飾枠３１の内側全体に及ぶ比較的大きなアルファベットの「Ｖ」の字を完成させる。このように、比較的大きい可動役物６０が、遊技者の目の前に瞬時に登場するという迫力のある動作を行うから、遊技者に強いインパクトを与えることができる。なお、主動演出部材６１は、演出位置に達する直前にダンパー５８に当接するので、主動演出部材６１（バネ連結部６４）とストッパ５７との衝突による衝撃や衝撃音を緩和することができる。
【００６７】
可動役物６０は、演出位置で、従動演出部材６７，６８に内蔵したＬＥＤによる光演出を行った後、待機位置に戻る。このとき、往復動部材７５が上端位置から降下するのに伴い、板金スライド部材８５がロック付勢バネ８９の付勢力によって降下し、ロックレバー８０がロック位置側に回動する。往復動部材７５がスタンバイ位置を越えて、板金スライド部材８５が下端位置に帰還すると、ロックレバー８０もロック位置に復帰する。また、往復動部材７５が下端位置に向かう途中のスタンバイ位置で、演出位置の主動演出部材６１と当接し、そのスタンバイ位置から下端位置までの移動に伴って主動演出部材６１を待機位置へと押し下げる。そして、主動演出部材６１が待機位置に向かうに従って、定荷重バネ７２が巻取ドラム７３から引き出されて弾発力が発生する。
【００６８】
往復動部材７５に押下された主動演出部材６１が待機位置の手前の位置になると、既にロック位置に戻されているロックレバー８０と主動演出部材６１の直動スライダ６３とが当接する。詳細には、直動スライダ６３のうち係合フック６５の下面に固定されたカム部材６６とロックレバー８０の係合突部８１Ａとが摺接し、ロックレバー８０が、カム部材６６に押されてロック解除位置側に回動する。
【００６９】
その後、主動演出部材６１が待機位置（往復動部材７５が下端位置）に到達するまでの間に、ロックレバー８０の係合突部８１Ａが係合フック６５を乗り越えてロック位置に復帰し、係合フック６５と係合して主動演出部材６１が待機位置にロックされる。
【００７０】
なお、主動演出部材６１が待機位置の手前から待機位置に移動する（ロックレバー８０がカム部材６６と摺接して係合フック６５を乗り越える）間のロックレバー８０の回動に伴って、板金スライド部材８５が１度上下動する。
【００７１】
このように、本実施形態のパチンコ遊技機１０によれば、主動演出部材６１が演出位置に位置する状態で、モータ７８から動力を受けた往復動部材７５がスタンバイ位置から下端位置へと移動すると、その往復動部材７５に押圧されて主動演出部材６１が演出位置から待機位置へと移動して、ロックレバー８０により待機位置にロックされると共に、定荷重バネ７２が弾性変形して弾発力が発生する。そして、主動演出部材６１が待機位置にロックされた状態で、往復動部材７５がスタンバイ位置から上端位置へと移動すると、その往復動部材７５に押圧された板金スライド部材８５がロックレバー８０に力を伝達して、ロックレバー８０による主動演出部材６１のロックが解除され、定荷重バネ７２の弾発力によって主動演出部材６１が待機位置から演出位置へと移動する。このような往復動機構は従来の遊技機には無かったので、可動演出部材によって演出動作を行う遊技機の改良に貢献することができ、趣向性の向上を図ることができる。
【００７２】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７３】
（１）上記実施形態では、主動演出部材６１が演出位置と待機位置との間で上下方向に直動する構成であったが、水平方向又はその他の方向に直動する構成であってもよい。また、主動演出部材６１の直動範囲の下端位置が「待機位置」で、上端位置が「演出位置」であったが、例えば、上記実施形態の可動演出装置５５の上下を逆転して配置して、主動演出部材６１の直動範囲の上端位置が「待機位置」で、下端位置が「演出位置」となるようにしてもよい。
【００７４】
（２）上記実施形態では、主動演出部材６１が演出位置と待機位置との間で真っ直ぐに直線移動する構成であったが、演出位置と待機位置との間で弧を描きながら移動（回動）する構成であってもよい。
【００７５】
（３）上記実施形態では、主動演出部材６１を演出位置に付勢する弾性部材が、定荷重バネ７２であったが、その他のバネ（例えば、コイルバネ）でもよい。
【００７６】
（４）上記実施形態では、主動演出部材６１に対して従動演出部材６７，６８が回動可能かつ、ベースプレート５６に対して従動演出部材６７，６８がスライド可能な構成であったが、主動演出部材６１に対して従動演出部材６７，６８がスライド可能かつ、ベースプレート５６に対して従動演出部材６７，６８が回動可能な構成としてもよい。
【００７７】
（５）上記実施形態では、２つの従動演出部材６７，６８を備えていたが、従動演出部材は１つ或いは３つ以上でもよい。
【００７８】
（６）上記実施形態では、演出位置において、２つの従動演出部材６７，６８によってアルファベットの「Ｖ」の字が完成するように構成されていたが、その他の文字や図形やその他の造形物が完成するように構成してもよい。また、表示装飾枠３１と従動演出部材、さらには、主動演出部材が一体になって１つの造形物が完成するように構成してもよい。
【符号の説明】
【００７９】
１０    パチンコ遊技機
５５    可動演出装置
５６    ベースプレート（固定ベース）
５８    ダンパー
６０    可動役物
６１    主動演出部材（可動演出部材）
６５    係合フック
６７，６８    従動演出部材
７２    定荷重バネ
７３    巻取ドラム
７５    往復動部材
７６    ボール螺子
７８    モータ（動力源）
８０    ロックレバー（ロック部材）
８５    板金スライド部材（ロック解除力伝達部材）
８９    ロック付勢バネ
【図１】
2014233502.tif 000003
【図２】
2014233502.tif 000004
【図３】
2014233502.tif 000005
【図４】
2014233502.tif 000006
【図５】
2014233502.tif 000007
【図６】
2014233502.tif 000008
【図７】
2014233502.tif 000009
【図８】
2014233502.tif 000010
【図９】
2014233502.tif 000011
【図１０】
2014233502.tif 000012
【図１１】
2014233502.tif 000013
【図１２】
2014233502.tif 000014
【図１３】
2014233502.tif 000015